(57)【要約】【課題】  公知の考案（実用新案登録第２５８７５８６号）を改良して、その長所を損なうことなく、軽量化、低コスト化を達成する。【解決手段】  地板２に面ファスナーのフック材６を貼り付け（矢印ａ）、これと別体のスチールシート３に表面処理層４を形成するとともに面ファスナーのループ材５を貼り付け、該スチールシート３を矢印ｂのように押し付ける。ループ材５とフック材６とが面ファスナー結合して、スチールシート３が地板２に取り付けられる。磁力吸着を用いないのでマグネットシートが不要であり、軽量，低コストの黒板が構成される。【選択図】  図１
0003106054.tif 000002
【実用新案登録請求の範囲】
【請求項１】
片方の面に表面処理層（４）を設けられた「スチールシート（３）もしくは合成樹脂シート（７）」に、「面ファスナーのループ材（５）またはフック材（６）の何れか片方」が貼り付けられるとともに、
上記と別体に構成された地板（２）の表面に「面ファスナーのループ材（５）またはフック材（６）の何れか片方」が貼り付けられており、
前記のループ材（５）をフック材（６）に対して面ファスナー結合せしめることによって、
前記の表面処理された「スチールシート（３）もしくは合成樹脂シート（７）」を、地板（２）に対して着脱自在に取り付けたことを特徴とする黒板。
【請求項２】
片方の面に表面処理層（４）を設けられた「スチールシート（３）もしくは合成樹脂シート（７）」に、「面ファスナーのフック材（６）、又は布材（８）の何れか片方」が貼り付けられるとともに、
上記と別体に構成された地板（２）の表面に「面ファスナーのフック材（６）、又は布材（８）の何れか他方」が貼り付けられており、
前記のフック材（６）と布材（８）とを相互に押し付けて面ファスナー結合せしめることにより、
前記の表面処理された「スチールシート（３）もしくは合成樹脂シート（７）」を、地板（２）に対して着脱自在に取り付けたことを特徴とする黒板。
【考案の詳細な説明】
【技術分野】
【０００１】
本考案は、搬送・設置および補修・廃棄が容易で、しかも軽量なように改良された黒板に関するものである。ただし、本考案において「黒板」とは、狭義の黒板の外に緑板やホワイトボードなど、筆記用の掲示板すべてを含む意である。
【背景技術】
【０００２】
黒板の一般的な構造は、裏枠で補強された地板（例えばベニヤ板など）にスチールシートまたは合成樹脂シートが貼り付けられ、その表面に表面処理（例えば黒板塗装料、又は、ほうろうコーティングなど）が施されて、チョークボード，マーカーボード等処理層（本発明において表面処理層という）が形成されている。
【０００３】
ビルディングの上層階に大形黒板を設置しようとしたとき、搬送が非常に困難な場合が少なくない。
こうした問題を解決するために実用新案登録第２５８７５８６号公報に掲載された「黒板」が好適である。
この公知の考案に係る黒板の構造を要約すると、（イ）地板にマグネットシートを貼り付け、（ロ）黒板面が形成された鋼板を磁力吸着させたものである。
【０００４】
上記の考案を適用すると、ビルディングの上層階に大形黒板を設置する場合、
（イ）地板に裏枠を取り付けて補強し、
（ロ）上記の地板にマグネットシートを貼り付け、
（ハ）巻いた状態で搬入した鋼板（表面処理されている）を搬入し、
（ニ）鋼板を広げてマグネットシートに磁力吸着させる。
といった手順で大形黒板を組み立てることができる。
上記のようにして組み立てると、通路が狭い場合にも搬入・設置が容易であるのみならず、黒板面が損耗した場合の補修も迅速容易に行なうことができ、きわめて実用的な優れた考案である。
【特許文献１】実用新案登録第２５８７５８６号公報
【考案の開示】
【考案が解決しようとする課題】
【０００５】
前記公知の考案に係る黒板は、考案されてから今日に至るまで約１０年間、多数生産・供給されて高い評価を得ている。
該公知考案の黒板が長期間に亙って賞用された結果、その実用的効果が確認される反面、更なる改善の希望も生まれた。
（ｉ）改善希望の１つは「軽量化」である。この公知考案は必然的にマグネットシートと鋼板とを重ね合わせて使用するため、大重量である。
（ii）改善希望の２つ目は「価格低減」である。特に、本公知考案の必須構成部材であるマグネットシートが製造原価中に占める割合が少なくない。
【０００６】
(iii)改善希望の３つ目は、「品質管理の規制緩和」である。これは、本考案者自身が多年に亙って本公知考案を適用した黒板の設計製作に従事して体験した問題である。
すなわち、マグネットシートおよび鋼板は共に、可撓性ではあるが伸縮しない。
その結果、鋼板をマグネットシートに吸着させたとき、部分的に密着せず、僅かに浮き上がる形の隙間を生じる場合が少なくない。これを防止するには鋼板の平面度を高精度に品質管理しなければならない。当然、製造コストは割高になる。
同じく鋼板を使うにしても、その平面度についての管理規準を緩和されることが切望される。
【課題を解決するための手段】
【０００７】
請求項１に係る考案の構成は（主として図１を、併せて図２を参照）、
片方の面に表面処理層（４）を設けられた「スチールシート（３）もしくは合成樹脂シート（図２において符号７）」に、「面ファスナーのループ材（５）またはフック材（６）の何れか片方」が貼り付けられるとともに、
上記と別体に構成された地板（２）の表面に「面ファスナーのループ材（５）またはフック材（６）の何れか片方」が貼り付けられており、
前記のループ材（５）をフック材（６）に対して面ファスナー結合せしめることによって、前記の表面処理された「スチールシート（図１の符号３）もしくは合成樹脂シート（図２の符号７）」を、
地板（２）に対して着脱自在に取り付けたことを特徴とする。
【０００８】
以上に説明した請求項１の考案によると、マグネットシートを用いていないので軽量、かつ安価であり、メンティナンス性も優れている。
その上、ループ材とフック材との面ファスナー結合は、結合面に沿う方向に若干の変位を許容するので、スチールシートまたは合成樹脂シートについて著しく高精度の平面性を要求されない。
なお、黒板面を形成する部材が鋼板に限られないので設計的自由度が高く、各種の合成樹脂シートを用いることができ、それぞれの合成樹脂材料の特性を生かした黒板を構成することができる。
【０００９】
請求項２に係る考案の構成は（主として図３を、併せて図２を参照）、
片方の面に表面処理層（４）を設けられた「スチールシート（３）もしくは合成樹脂シート（図２における符号７）」に、「面ファスナーのフック材（６）、又は布材（８）の何れか片方」が貼り付けられるとともに、
上記と別体に構成された地板（２）の表面に「面ファスナーのフック材（６）、又は布材（８）の何れか他方」が貼り付けられており、
前記のフック材（６）と布材（８）とを相互に押し付けて面ファスナー結合せしめることにより、前記の表面処理された「スチールシート（３）もしくは合成樹脂シート（図２の符号７）」を、地板（２）に対して着脱自在に取り付けたことを特徴とする。
【００１０】
以上に説明した請求項２の考案によると、前記請求項１の考案におけるループ材に代えて布材を用いることにより、同様の作用，効果が得られる。すなわち、マグネットシートを用いていないので軽量であり、かつ安価である。
その上、ループ材とフック材との面ファスナー結合は、結合面に沿う方向に若干の変位を許容するので、スチールシートまたは合成樹脂シートについて著しく高精度の平面性を要求されない。
なお、黒板面を形成する部材が鋼板に限られないので設計的自由度が高く、各種の合成樹脂シートを用いることができ、それぞれの合成樹脂の特性を生かした黒板を構成することができる。
【考案の効果】
【００１１】
請求項１の考案によると、マグネットシートを用いていないので軽量かつ安価であり、その上、メンティナンス性に優れている。
しかも、ループ材とフック材との面ファスナー結合は、結合面に沿う方向に若干の変位を許容するので、スチールシートまたは合成樹脂シートについて著しく高精度の平面性を要求されない。
なお、黒板面を形成する部材が鋼板に限られないので設計的自由度が高く、各種の合成樹脂シートを用いることができ、それぞれの合成樹脂の特性を生かした黒板を構成することができる。
【００１２】
請求項２の考案によると、前記請求項１の考案におけるループ材に代えて布材を用いることにより、同様の作用，効果が得られる。すなわち、マグネットシートを用いていないので軽量であり、かつ安価である。
その上、ループ材とフック材との面ファスナー結合は、結合面に沿う方向に若干の変位を許容するので、スチールシートまたは合成樹脂シートについて著しく高精度の平面性を要求されない。
なお、黒板面を形成する部材が鋼板に限られないので設計的自由度が高く、各種の合成樹脂シートを用いることができ、それぞれの合成樹脂の特性を生かした黒板を構成することができる。  
【考案を実施するための最良の形態】
【００１３】
図１は、請求項１の考案に係る黒板の１実施形態について、その１部の断面を描いたものであって、（Ａ）は組み立て手順を表した模式的な分解図、（Ｂ）は作用効果を表した模式的な組立図である。
符号２を付して示したのは地板であって黒板装置の機械的構造の本体を成し、裏枠１で補強された公知の部材である。
一方、スチールシート３の片方の面（図において左方の面）には表面処理層４が形成されている。この表面処理層は、公知の技術を適用して形成すればよい。
【００１４】
符号５を付して示したのは面ファスナーのループ材であり、符号６を付して示したのは面ファスナーのフック材である。
本実施形態においては、クラレマジックループＣＸＦ−００５，およびクラレマジックフックＡＰ９４６（いずれも商標名）を用いた。
（図１（Ａ）参照）前記スチールシート３の「表面処理層４を形成していない側の面」に、予めループ材５を接着もしくは粘着によって貼り付けておく。この状態のスチールシート３は巻いた形で容易に持ち運ぶことができ、搬送通路が狭くても格別の困難は生じない。
【００１５】
黒板設置箇所への通路が狭い場合は、設置現場で地板２と裏枠１とを組み立てるとともに、フック材６を折り畳むなり巻くなりして設置現場に持ち込み、
矢印ａのようにフック材６を地板２に接着もしくは粘着して貼り付ける。
巻いて設置現場へ持ち込んだスチールシート３を広げて、矢印ｂのように押し付けて、（図１（Ｂ）参照）ループ材５をフック材６に面ファスナー結合させる。
これにより、実用上充分な強度で、スチールシート３が地板２に貼り付けられる。
この図１（Ｂ）を図の左方から見たままに露出させて使用に供する訳ではなく、その周囲を枠体や押縁（ともに図示省略、要すれば実用新案文献１の公報を参照）で覆われるので、これらの部材が自動的にスチールシート３の支持を幇助するようになる。
【００１６】
前記の構成機能から容易に推察できるように、本発明に係る黒板の表面処理層４が使用に伴って損耗した場合、該表面処理層４を形成されたスチールシート３を取り外して、新品のスチールシート３と交換する作業を迅速容易に行なうことができ、メンティナンス性に優れている。
【００１７】
図２は、前掲の図１と異なる実施形態について、その１部の断面を描いたものであって、（Ａ）は組み立て手順を表した模式的な分解図、（Ｂ）はこの実施形態の作用効果を表した模式的な組立図である。
前記図１の実施形態に比して異なる構成を要約すると、次の２点である。 
（一）スチールシート３に代えて合成樹脂シート７を用い、この合成樹脂シートの片方の面に表面処理層４を形成したこと。
（二）ループ材５とフック材６との位置を入れ替えて、ループ材を地板２側に、フック材を表面処理層４側に、それぞれ配設したこと。
【００１８】
前記の公知考案においては磁気吸着を利用するため、表面処理層を形成するシート状の部材は磁性体でなければならなかったが、本発明においては面ファスナー結合を利用するので磁性体に限定されない。この故に、本例のように合成樹脂シートを用いることが可能となった。
合成樹脂シートには各種各様の材料が有り、これらの中から適宜のものを任意に選定して用いることができる。どのような合成樹脂シートを用いても、鋼板よりも軽量である。  また、多種類の合成樹脂材料の中から、鋼板よりも安価で表面処理の容易なものを選定することも困難ではない。
【００１９】
狭い通路を通って、この図２の実施形態に係る黒板を搬送し組み立てる手順、及びその効果については、前記図１の実施形態におけると同様である。
以上に説明した図１の実施形態と図２の実施形態とは本願考案の請求項１に係るものである。両図を対照して次の２点を御理解いただきたい。
（ａ）面ファスナーのループ材５とフック材６とは、その配設箇所に互換性が有る。
（ｂ）表面処理層４を形成する部材として、スチールシート３と合成樹脂シート７とを任意に選定できる。  
【００２０】
図３は、請求項２の考案に係る黒板の１実施形態について、その要部の断面を描いたものであって、（Ａ）は組み立て手順を表した模式的な分解図、（Ｂ）は作用効果を表した模式的な組立図である。
この図３が前記の図２に比して異なる構成を要約すると次のとおりである。  
◎ループ材５に代えて布材８を用いたこと。 
本発明者の試験研究によれば、一般の布材料（不織布を含む）の多くとフック材とは、黒板の組立てに必要な程度の面ファスナー結合力を発揮する（布材料とループ材とでは駄目である）。
【００２１】
図３の実施形態は請求項２の考案に対応している。そして、この図３の実施形態から類推して理解されるように、
布材８とフック材６との配設箇所を入れ替えることができる。
スチールシート３に代えて合成樹脂シート（図２の実施形態における符号７の部材）を使用することができる。
この図３の実施形態によっても、前掲の図１や図２の実施形態におけると同様に狭い通路の搬送が容易であり、組み立てられた黒板が軽量，安価であり、かつ、スチールシート３について厳しい平面度が求められない。
【図面の簡単な説明】
【００２２】
【図１】請求項１の考案に係る黒板の１実施形態について、その１部の断面を描いたものであって、（Ａ）は組み立て手順を表した模式的な分解図、（Ｂ）は作用効果を表した模式的な組立図。
【図２】前掲の図１と異なる実施形態について、その１部の断面を描いたものであって、（Ａ）は組み立て手順を表した模式的な分解図、（Ｂ）はこの実施形態の作用効果を表した模式的な組立図。
【図３】請求項２の考案に係る黒板の１実施形態について、その要部の断面を描いたものであって、（Ａ）は組み立て手順を表した模式的な分解図、（Ｂ）は作用効果を表した模式的な組立図。
【符号の説明】
【００２３】
１…裏枠
２…地板
３…スチールシート
４…表面処理層
５…面ファスナーのループ材
６…面ファスナーのフック材
７…合成樹脂シート
８…布材 
ａ…接着・粘着を表す矢印
ｂ…押し付け動作を表す矢印
【図１】
0003106054.tif 000003
【図２】
0003106054.tif 000004
【図３】
0003106054.tif 000005
【手続補正書】
【提出日】平成16年8月11日(2004.8.11)
【手続補正１】
【補正対象書類名】実用新案登録請求の範囲
【補正対象項目名】請求項１
【補正方法】変更
【補正の内容】
【請求項１】
片方の面に表面処理層を設けられた「スチールシートもしくは合成樹脂シート」に、「面ファスナーのループ材またはフック材の何れか片方」が貼り付けられるとともに、
上記と別体に構成された地板の表面に「面ファスナーのループ材またはフック材（６）の何れか片方」が貼り付けられており、
前記のループ材をフック材に対して面ファスナー結合せしめることによって、
前記の表面処理された「スチールシートもしくは合成樹脂シート」を、
地板に対して着脱自在に取り付けたことを特徴とする黒板。
【手続補正２】
【補正対象書類名】実用新案登録請求の範囲
【補正対象項目名】請求項２
【補正方法】変更
【補正の内容】
【請求項２】
片方の面に表面処理層を設けられた「スチールシートもしくは合成樹脂シート」に、「面ファスナーのフック材、又は布材の何れか片方」が貼り付けられるとともに、
上記と別体に構成された地板の表面に「面ファスナーのフック材、又は布材の何れか他方」が貼り付けられており、
前記のフック材と布材とを相互にに押し付けて面ファスナー結合せしめることにより、
前記の表面処理された「スチールシートもしくは合成樹脂シート」を、
地板に対して着脱自在に取り付けたことを特徴とする黒板。